(57)【要約】      （修正有）【課題】タッチデバイスの温度効果を軽減し、湿気の発生を低減し、タッチデバイスの動作期間を延長する温度効果低減タッチデバイスを提供する。【解決手段】温度効果低減タッチデバイスは、ディスプレイ１０、透明基板２０、熱遮蔽層３０、タッチ感知層４０を含んでいる。透明基板はディスプレイ上に結合される。タッチ感知層は透明基板上に形成される。熱遮蔽層は、透明基板とタッチ感知層の間で、真空プロセスによる熱遮蔽層が占有する空間を真空引きすることにより、形成される。タッチデバイスが低温環境下で動作されるとき、真空引きされた熱遮蔽層に因り、タッチデバイスの内側と外側の温度差によって発生する水分は低減し、タッチデバイスの経年劣化速度を遅くすることができ、これによってタッチデバイスの歩留まりを効果的に向上することができる。【選択図】図１
0003204663.tif 000002
【実用新案登録請求の範囲】
【請求項１】
ディスプレイと、
前記ディスプレイの上面に結合される透明基板と、
前記透明基板の上面に形成される熱遮蔽層と、
前記熱遮蔽層の上面に形成されるタッチ感知層とを備え、
絶縁性接着剤が前記透明基板及び前記タッチ感知層の間の真空の断熱空間に充填されて前記熱遮蔽層を形成することを特徴とする温度効果低減タッチデバイス。
【請求項２】
前記熱遮蔽層は前記透明基板上に形成され、互いに隔置され、透明材料で作成される複数のドットスペーサを有することを特徴とする請求項１記載のタッチデバイス。
【請求項３】
前記絶縁性接着剤は前記透明基板の上面の周縁部に貼り付けられることを特徴とする請求項２記載のタッチデバイス。
【請求項４】
前記タッチ感知層の上面に形成される保護層を備えることを特徴とする請求項１乃至請求項３何れか１項記載のタッチデバイス。
【請求項５】
前記保護層の上面に結合され、光を透過可能な強化ガラスによって形成された光透過層を備えることを特徴とする請求項４記載のタッチデバイス。
【請求項６】
前記保護層は、二酸化チタン（ＴｉＯ２）ナノ粒子又は酸化亜鉛（ＺｎＯ）ナノ粒子を混合した接着剤を前記タッチ感知層上に均一に塗布することにより形成されることを特徴とする請求項５記載のタッチデバイス。
【請求項７】
前記透明基板は、ガラス基板又は透明弾性材料によって形成されることを特徴とする請求項１、請求項２、請求項３、請求項５又は請求項６記載のタッチデバイス。
【考案の詳細な説明】
【技術分野】
【０００１】
本考案は、タッチデバイスに関し、特に温度効果低減タッチデバイスに係わる。
【背景技術】
【０００２】
半導体製造技術の進歩によって、初期の頃に戻ってのディスプレイ画面からタッチデバイス及び小型のタッチデバイスへと急速にディスプレイ装置が開発されており、後者は現在のパーソナルモバイルデバイス（携帯機器）に適用され、このモバイルデバイスはすべての社会的階級からの人々にとって携帯され、日常生活での利便性及びエンターテイメントの向上のために世界のどこでも使用される（例えば、特許文献１−６）。
【０００３】
従来のタッチデバイスは公共機器及び輸送ツールを含むすべての分野に広く適用されている。通常、公共機器は、個人向け機器、特に屋外使用のものよりも特に天候の影響に対してより厳格な要求が課される。何故なら、タッチデバイスは、時々、温度の変化に因り制御不能になるからである。温度の問題への対策はタッチ感知層をディスプレイ上に着膜し、そのタッチデバイスをＡＴＭ（現金自動預入支払機）、路上駐車場駐車メーターなどの公共機器にインストールすることである。従来のタッチデバイスがタッチデバイス内の温度よりも低い周囲温度で動作されるとき、水分がタッチ感知層とタッチデバイスとの間でその温度差に因り容易に発生する。タッチデバイスが高温環境下で動作されるとき、タッチデバイスの電子部品は高温環境に起因する熱によって容易に損傷される。したがって、従来のタッチデバイスはより短い耐用期間であって、障害が発生しやすい。
【先行技術文献】
【特許文献】
【０００４】
【特許文献１】ＪＰ  ２０１３−８９２３５  Ａ
【特許文献２】ＪＰ  ３１７９５７４  Ｕ
【特許文献３】ＪＰ  ３１７９７８３  Ｕ
【特許文献４】ＪＰ  ３１９０１３８  Ｕ
【特許文献５】ＪＰ  ３１９３３４８  Ｕ
【特許文献６】ＪＰ  ３１９３５４５  Ｕ
【考案の概要】
【考案が解決しようとする課題】
【０００５】
本考案の目的は、タッチデバイスの温度効果を軽減し、湿気の発生を低減し、タッチデバイスの動作期間を延長する温度効果低減タッチデバイスを提供することである。
【課題を解決するための手段】
【０００６】
上記目的を達成するために、温度効果低減タッチデバイスは、ディスプレイ、透明基板、熱遮蔽層、タッチ感知層を含んでいる。
【０００７】
透明基板はディスプレイの上面に結合されている。
【０００８】
熱遮蔽層は透明基板の上面に形成されている。
【０００９】
タッチ感知層は熱遮蔽層の上面に形成されている。
【００１０】
絶縁性接着剤は透明基板とタッチ感知層との間の真空断熱空間に充填され、熱遮蔽層を形成する。
【００１１】
タッチデバイスの上記構造から分かるように、透明基板とタッチ感知層との間の熱遮蔽層は真空プロセスによって調製される。真空熱遮蔽層は、タッチデバイスの内側と外側の温度差に起因する水分の発生を効果的に低減し、従って、タッチデバイスの動作期間と収率を高めることができる。
【００１２】
本考案に係る他の目的、利点及び新規な特徴は、以下の詳細な説明から図面を併せて参照して一層明らかとなる。
【図面の簡単な説明】
【００１３】
【図１】本考案に係る温度効果低減タッチデバイスの第１の実施例の概略断面側面図である。
【図２】タッチ感知層がタッチデバイス上に形成されていないとき図２におけるタッチデバイスの概略断面側面図である。
【図３】タッチ感知層がタッチデバイス上に形成されているとき図２におけるタッチデバイスの概略断面側面図である。
【図４】本考案に係る温度効果低減タッチデバイスの第２の実施例の概略断面側面図である。
【考案を実施するための形態】
【００１４】
以下、本考案にしたがう温度効果低減タッチデバイスをその好ましい実施例について図面を参照して詳述する。
【００１５】
図１を参照するに、本考案に係る温度効果低減タッチデバイスの第１の実施例は、ディスプレイ１０、透明基板２０、熱遮蔽層３０、タッチ感知層４０を含んでいる。透明基板２０はディスプレイ１０の上面に結合されている。熱遮蔽層３０は透明基板２０の上面に形成されている。タッチ感知層４０は熱遮蔽層３０の上面に形成されている。この実施例において、透明基板２０はガラス基板又は透明弾性材料で形成されている。
【００１６】
熱遮蔽層３０を調製する技法として、図２及び図３に示すように、熱遮蔽層３０は複数のドットスペーサ３１を有している。複数のドットスペーサ３１は、透明基板２０の上面に形成され、ギャップによって互いに均一に離間されている。複数のドットスペーサ３１は複数のドットスペーサ、透明基板２０上に高分子膜を塗布し、スクリーン印刷プロセス又はフォトリソグラフィプロセスを介してポリマーフィルム内に複数のドットスペーサ３１を形成することにより作製され、タッチデバイスのサポート能力を高めるように機能する。複数のドットスペーサ３１によって占有されていないポリマーフィルムの部分はエッチングされて断熱空間３４を形成する。絶縁性接着剤３２は透明基板２０の上面の周縁部に貼り付けられる。開口部３３は透明基板２０の上面の周縁部の部分における絶縁性接着剤３２に形成されて熱遮断層３０における断熱空間３４と連通し、後続の真空プロセスのために調製される。この実施例において、複数のドットスペーサ３１は透明材料で作成されている。この実施例において複数のドットスペーサ３１を調製する技法は大型のタッチデバイスにも適用可能である。小型タッチデバイスの場合には、熱遮蔽層３０の複数のドットスペーサ３１は必ずしも調製されるものではない。
【００１７】
熱遮蔽層３０における断熱空間３４は真空プロセスにより真空引きされ、真空化された断熱空間３４は開口部３３を介して絶縁性接着剤３２で充填されて熱遮蔽層３０を真空に形成する。
【００１８】
図４を参照するに、本考案に係る温度効果低減タッチデバイスの第２の実施例は、第１の実施例と異なっている点として、付加的な保護層５０がタッチ感知層４０の上面に形成され、光透過層６０が保護層５０の上面に結合されてタッチデバイスの保護能力を高めていることである。この実施例において、保護層５０を形成するには、二酸化チタン（TiO2）ナノ粒子又は酸化亜鉛（ZnO）ナノ粒子を混合した接着剤をタッチ感知層４０上に均一に塗布することである。二酸化チタンナノ粒子又は酸化亜鉛ナノ粒子は紫外線光を吸収することができるので、紫外線光によってタッチデバイスにもたらされる時効効果は効果的に低減することができ、即ち経年劣化速度を遅くすることができる。接着剤は光透過性である。光透過層６０は光を透過可能な強化ガラスによって形成することができる。
【００１９】
本考案の幾つかの特徴及び利点は前述の説明において本考案の構造及び機能の詳細とともに記載されているものの、その開示は単なる例示である。その変更は、特に部品の形状、大きさ及び配置の問題として特許請求の範囲が表現する用語の広い一般的な意味によって示される全範囲に亘り本考案の原理内において詳細に行なうことができる。
【符号の説明】
【００２０】
１０・・・ディスプレイ
２０・・・透明基板
３０・・・熱遮蔽層
３１・・・ドットスペーサ
３２・・・絶縁性接着剤
３３・・・開口部
３４・・・断熱空間
４０・・・タッチ感知層
５０・・・保護層
６０・・・光透過層
【図１】
0003204663.tif 000003
【図２】
0003204663.tif 000004
【図３】
0003204663.tif 000005
【図４】
0003204663.tif 000006